(57)【要約】【課題】  記録媒体に形成する熱発泡性トナーからなる像を、省エネ化や生産性の観点からも不利になることがなく簡易にかつ効率よく発泡隆起させて当該トナー像に基づく立体画像のみ又はそれを含む画像を形成することができる画像形成方法および画像形成装置を提供する。【解決手段】  画像形成方法および画像形成装置は、非熱発泡性の記録媒体（Ｐ）に少なくとも熱発泡性トナーからなる像（Ｔ（Ｈ））を第１作像手段（１０Ｈ）で形成した後、その熱発泡性トナー像を加熱して発泡させることにより隆起した立体画像を形成するに際して、その熱発泡性トナー像を形成する領域の少なくとも一部に、赤外線吸収剤を含有する透明トナーからなる層（Ｔ（ＩＲ））を作層手段（１０Ｉ）で形成するとともに、その透明トナー層に少なくとも赤外線を照射手段（８）から照射するものである。【選択図】    図１
2006215196.tif 000002
【特許請求の範囲】
【請求項１】
非熱発泡性の記録媒体に少なくとも熱発泡性トナーからなる像を形成した後、その熱発泡性トナー像を加熱して発泡させることにより隆起した立体画像を形成するに際して、
前記熱発泡性トナー像を形成する領域の少なくとも一部に、赤外線吸収剤を含有する透明トナーからなる層を形成するとともに、その透明トナー層に少なくとも赤外線を照射することを特徴とする画像形成方法。
【請求項２】
赤外線吸収剤を含有する透明トナー層が形成されない熱発泡性トナー像の領域に、赤外線吸収剤を含有する有色トナーからなる像を形成する請求項１に記載の方法。
【請求項３】
赤外線吸収剤を含有する透明トナー層を、記録媒体に対して熱発泡性トナー像よりも上層側に位置するように形成する請求項１又は２に記載の方法。
【請求項４】
赤外線吸収剤を含有する有色トナー像を、記録媒体に対して熱発泡性トナー像よりも上層側に位置するように形成する請求項２に記載の方法。
【請求項５】
赤外線吸収剤を含有する透明トナー層をその形成すべき領域内で異なった層厚で形成する請求項１から４のいずれかに記載の方法。
【請求項６】
非熱発泡性の記録媒体に熱発泡性トナーからなる像を形成する第１作像手段と、
この第１作像手段で形成される熱発泡性トナー像の領域の少なくとも一部に、赤外線吸収剤を含有する透明トナーからなる層を形成する作層手段と、
この作層手段で形成される透明トナー層に赤外線を照射する照射手段を含む装置であって、
前記記録媒体に形成される熱発泡性トナー像を加熱して発泡させることにより隆起した立体画像を形成し得ることを特徴とする画像形成装置。
【請求項７】
赤外線吸収剤を含有する透明トナー層が形成されない熱発泡性トナー像の領域に、赤外線吸収剤を含有する有色トナーからなる像を形成する第２作像手段を有する請求項６に記載の装置。
【発明の詳細な説明】
【技術分野】
【０００１】
本発明は、非熱発泡性の記録媒体に少なくとも形成される熱発泡性トナーからなる像を加熱して発泡させることにより隆起した立体（隆起）画像を形成することができる画像形成方法および画像形成装置に関するものであり、特に、その熱発泡性トナー像を簡易にかつ効率よく発泡隆起させるようにして当該トナー像に基づく立体画像のみ又はそれを含む画像を形成することに適した画像形成方法および画像形成装置に関するものである。
【背景技術】
【０００２】
従来、本出願人は、電子写真方式や静電記録方式を適用した一般のプリンタ、複写機、複合機等の画像形成装置を使用して、普通紙等に代表されるような非熱発泡性の記録媒体に少なくとも熱発泡性トナーからなる像を形成した後、それを加熱発泡させることで隆起した立体画像を形成する方法やその形成装置等について提案している（特許文献１，２など）。
【０００３】
特許文献１においては、発泡剤がトナー表面に実質的に露出しないように含有される画像形成用トナーからなる像を電子写真方式等のプロセスを経ることにより記録媒体に形成した後、加熱定着処理を行ってそのトナーに含まれる発泡剤を発泡させて立体画像を形成する方法やその形成装置等を提示している。
【０００４】
また、特許文献２においては、記録媒体に形成する熱発泡性トナーからなる像の上に非発泡性フルカラートナーからなるカラー像を形成した後、加熱定着処理を施して熱発泡性トナーを発泡させて立体画像を形成するとともに非熱発泡性フルカラートナーを溶融定着させてカラー画像を形成する方法やその形成装置を提示している。
【０００５】
そして、これらの立体画像の形成方法および形成装置では、そのいずれの場合も熱発泡性トナーからなる像のみ又はそれを含むトナー像を定着ロール対等の定着装置を通過させて加熱加圧することにより、その熱発泡性トナーについて発泡（熱膨張）させるとともに溶融させて記録媒体に固着させるようにしている。
【０００６】
【特許文献１】特開２０００−１３１８７５号公報
【特許文献２】特開２００２−２４４３８４号公報
【特許文献３】特開２００２−１７４９２４号公報
【特許文献４】特開２００３−２７０８６０号公報
【発明の開示】
【発明が解決しようとする課題】
【０００７】
しかしながら、このような立体画像の形成方法やその形成装置においては、次のような問題点がある。
【０００８】
まず、その熱発泡性トナー内の発泡剤を熱膨張させて十分な高さの立体画像を得るためには、非熱発泡性の有色トナーからなる像を定着させるときよりも大きな熱エネルギーを印加しなければならない。これにより、十分な高さの立体画像を容易に得ることは難しいものであった。
【０００９】
一方、十分な高さの立体画像を形成するために最適化された加熱条件（定着温度の上昇、定着時間の延長など）で定着を行った場合には、非熱発泡性の有色トナーからなる像（画像部）に必要以上の熱エネルギーが印加されることになるため、その加熱により溶融された有色トナーが定着ロール等に付着してしまい記録媒体に定着されないことがあり、その結果として画質不良を招くことがある。
【００１０】
このようなことから、同じ記録媒体上に熱発泡性トナーからなる像と非熱発泡性の有色トナーからなる像とが混在して形成される場合には、その双方の像をいずれも最良の状態で形成することが困難であった。
【００１１】
また、熱発泡性トナーの定着のために印加する熱エネルギーを増やそうとする場合には、定着時の加熱温度を上げるかまたは定着速度を下げなければならず、この結果、省エネルギー化や画像形成の生産性の点で劣るという問題もあった。
【００１２】
ちなみに、従来においては、本出願人による提案も含め、通常の平面的な画像（立体画像ではない画像）を形成する方法やその画像形成装置として、記録媒体に赤外線吸収剤を含有させた画像形成用の有色トナーにより像を形成した後、そのトナー像に赤外線等を照射して光定着させる画像形成方法などが提案されている（特許文献３，４）。しかし、この提案に係る特許文献３，４のいずれにおいても、熱発泡性トナーを使用して立体画像を形成することに関する内容は示されていない。
【００１３】
本発明は、以上のような各問題点等に鑑みてなされたものであり、記録媒体に形成する熱発泡性トナーからなる像を、省エネ化や生産性の観点からも不利になることがなく簡易にかつ効率よく発泡隆起させて当該トナー像に基づく立体画像のみ又はそれを含む画像を形成することができる画像形成方法および画像形成装置を提供するものである。
【００１４】
これに加えて、本発明は、記録媒体上に熱発泡性トナーからなる像と非熱発泡性の有色トナーからなる像とが混在して形成される場合には、その双方の像を最良の状態で、また所望の状態で形成することができる画像形成方法および画像形成装置を提供するものでもある。
【課題を解決するための手段】
【００１５】
本発明の画像形成方法は、非熱発泡性の記録媒体に少なくとも熱発泡性トナーからなる像を形成した後、その熱発泡性トナー像を加熱して発泡させることにより隆起した立体画像を形成するに際して、前記熱発泡性トナー像を形成する領域の少なくとも一部に、赤外線吸収剤を含有する透明トナーからなる層を形成するとともに、その透明トナー層に少なくとも赤外線を照射することを特徴とするものである。
【００１６】
ここで、上記非熱発泡性の記録媒体とは、トナー（現像剤）からなる像を形成することができる媒体のうち加熱された場合に発泡（熱膨張）する物性が特にないものであり、たとえば、普通紙等の記録用紙である。
【００１７】
上記熱発泡性トナーからなる像は、上記記録媒体の全面に形成することも可能であるが、通常は形成すべき立体画像に対応させて記録媒体の該当領域に部分的に形成される。この熱発泡性トナー像は、記録媒体に単独で形成される場合と、非熱発泡性の有色トナーからなる像と組み合わせて形成される場合とがある。また、この熱発泡性トナー像は、所望の層厚で形成される。
【００１８】
上記赤外線吸収剤を含有する透明トナーからなる層は、上記熱発泡性トナー像を形成する領域の全域に相応させて形成することが好ましいが、少なくとも熱発泡性トナー像の一部に重畳する状態で形成すればよい。この透明トナー層は熱発泡性トナー像を形成する領域の一部に形成する場合には、たとえば、その透明トナー層が形成されない熱発泡性トナー像の領域に対する定着については後述するような対応をすることができる。赤外線吸収剤については、後述するように非可視域の波長に対して光吸収特性を有するものであることが好ましい。なお、この透明トナー層は、熱発泡性トナー像が形成されていない記録媒体の領域に形成しても構わない。たとえば、記録媒体上に有色トナー像を形成する場合、その有色トナー像の領域に透明トナー層を形成することができる。
【００１９】
このような画像形成方法によれば、非熱発泡性の記録媒体に形成される熱発泡性トナー像のうち赤外線吸収剤が含有された透明トナー層が形成された領域は、赤外線が照射されると、その透明トナー層内の赤外線吸収剤が赤外線を吸収して瞬時に発熱し、その熱が熱発泡性トナー像にも伝わることになる。これにより、熱発泡性トナー像は赤外線吸収剤を含有する透明トナー層によって加熱されて発泡（膨張）隆起することで立体的な画像となる。
【００２０】
上記画像形成方法においては、赤外線吸収剤を含有する透明トナー層が形成されない熱発泡性トナー像の領域に、赤外線吸収剤を含有する有色トナーからなる像を形成するようにしてもよい。
【００２１】
ここで、上記赤外線吸収剤を含有する有色トナーとは、たとえば着色剤としてカーボンブラックが含有されていることで赤外線吸収特性を自ら有する黒色トナーが該当するが、この他にも自身は赤外線吸収特性を特に有さない有色トナーに赤外線吸収剤を含有させた黒色以外の色のトナーも含むものである。また、この赤外線吸収剤を含有する有色トナーは、前述したように透明トナー層を熱発泡性トナー像の形成領域の一部に形成する場合に、その透明トナー層を形成しない熱発泡性トナー像の形成領域部分に形成することができる。
【００２２】
このように赤外線吸収剤を含有する有色トナー像を形成する場合には、その有色トナー像が形成された熱発泡性トナー像の部分は、赤外線の照射によりその有色トナー像における赤外線吸収剤が発熱するため、その熱により加熱されて発泡隆起することで立体的な画像部分になる。
【００２３】
また、上記各画像形成方法においては、赤外線吸収剤を含有する透明トナー層を、記録媒体に対して熱発泡性トナー像よりも上層側に位置するように形成することが望ましい。また、赤外線吸収剤を含有する有色トナーからなる像を形成する場合においても、その赤外線吸収剤を含有する有色トナー像を、記録媒体に対して熱発泡性トナー像よりも上層側に位置するように形成することが望ましい。
【００２４】
このように赤外線吸収剤を含有する透明トナー層または有色トナー像を熱発泡性トナー像よりも上層側に位置するように形成した場合には、その逆の関係、即ち熱発泡性トナー像よりも下層側に形成した場合において発生する以下のような問題を回避できるようになる。
【００２５】
すなわち、熱発泡性トナー像（層）は通常その発泡前後において光透過性が低いため、それを上記透明トナー層や有色トナー像の上層側に位置するように形成した場合には、たとえば、透明トナー層が赤外線の照射を受けにくくなって発熱せず熱発泡性トナー像に対する加熱機能が得られなくなるという問題があるが、上記した関係で形成することによりかかる問題の発生を回避することができる。また、通常の有色トナー像を形成する場合には、その有色トナー像の上層側に位置する関係で熱発泡性トナー像を形成してしまうと、かかる有色トナー像が光の照射を受けにくくなって正常に発色しなくなるという問題があるが、そのような問題の発生も回避することができる。
【００２６】
さらに、上記各画像形成方法においては、赤外線吸収剤を含有する透明トナー層をその形成すべき領域内で異なった層厚で形成するように構成することができる。
【００２７】
この場合には、その透明トナー層の厚さの違いにより赤外線照射時における発熱量がほぼ相応（比例）して異なるため、熱発泡性トナー像の加熱度合い、ひいてはその膨張度合い（立体画像の高さ）を調整することができる。すなわち、透明トナー層を相対的に厚く形成した場合には、薄く形成した場合に比べて発熱量が多くなり、熱発泡性トナー像をより強く（多く）加熱して熱膨張の度合いを大きくすることができる。反対に、透明トナー層を相対的に薄く形成した場合には、厚く形成した場合に比べて発熱量が少なくなり、熱発泡性トナー像を弱め（少なめ）に加熱して熱膨張の度合いを小さく（抑え気味に）することができる。
【００２８】
一方、本発明の画像形成装置は、非熱発泡性の記録媒体に熱発泡性トナーからなる像を形成する第１作像手段と、この第１作像手段で形成される熱発泡性トナー像の領域の少なくとも一部に、赤外線吸収剤を含有する透明トナーからなる層を形成する作層手段と、この作層手段で形成される透明トナー層に赤外線を照射する照射手段を含む装置であって、前記記録媒体に形成される熱発泡性トナー像を加熱して発泡させることにより隆起した立体画像を形成し得ることを特徴とするものである。
【００２９】
ここで、上記第１作像手段は、非熱発泡性の記録媒体に熱発泡性トナー像を所望の画像情報に応じて形成することができるものであれば特に制約されるものではない。たとえば、電子写真方式、静電記録方式等の画像形成方式を利用して潜像担持体に立体画像用の画像情報に応じて潜像を形成し、その潜像を熱発泡性トナーにより現像して熱発泡性トナー像とし、そのトナー像を最終的に記録媒体に形成（転写）する作像装置として構成することができる。
【００３０】
上記作層手段は、熱発泡性トナー像が形成される領域の少なくとも一部に、赤外線吸収剤を含有する透明トナー層を所望の状態で形成することができるものであれば特に制約されるものではない。たとえば、上記第１作像手段と同様の作像装置として構成することができる。この他にも、その透明トナー層を常に少なくとも熱発泡性トナー像の形成領域に一定の幅でベタの状態（一様な層状態）で形成する場合には、赤外線吸収剤を含有する透明トナーを単純な層状のトナー層にしてから記録媒体にそのまま転写（担持）させるような作層装置として構成することも可能である。
【００３１】
上記照射手段は、この作層手段で形成される透明トナー層に必要な赤外線を照射することができるものであればよい。従って、この照射手段から照射する赤外線は、透明トナーに含有させる赤外線吸収剤が吸収し得る波長領域を少なくとも含む波長特性の赤外線であることが好ましい。
【００３２】
このような画像形成装置によれば、第１作像手段により非熱発泡性の記録媒体に熱発泡性トナー像が形成されるとともに、その熱発泡性トナー像の形成領域の少なくとも一部に作層手段により赤外線吸収剤が含有された透明トナー層が形成され、最後に、その透明トナー層に照射手段により赤外線が照射される。これにより、その透明トナー層内の赤外線吸収剤が赤外線を吸収して瞬時に発熱し、その熱が熱発泡性トナー像に伝わって加熱することになるため、最終的に熱発泡性トナー像が赤外線吸収剤を含有する透明トナー層によって加熱されて発泡隆起することで立体的な画像となる。
【００３３】
また、この画像形成装置においては、赤外線吸収剤を含有する透明トナー層が形成されない熱発泡性トナー像の領域に、赤外線吸収剤を含有する有色トナーからなる像を形成する第２作像手段を有するように構成するとよい。
【００３４】
ここで、上記第２作像手段は、透明トナー層が形成されない熱発泡性トナー像の領域に赤外線吸収剤を含有する有色トナーからなる像を形成することができるものであればよい。たとえば、前記第１作像手段と同様の（なお、熱発泡性トナーに代えて赤外線吸収剤を含有する有色トナーを使用する点では相違する）作像装置とすることができる。その有色トナーとしては、前記したような赤外線吸収剤を含有する有色トナーが使用される。
【００３５】
このような第２作像手段を具有させた場合には、赤外線吸収剤を含有する有色トナー像を形成した熱発泡性トナー像の部分は、赤外線の照射によりその有色トナー像が発熱するため、その熱によって加熱されて発泡隆起することになり、最終的に立体的な画像部分が得られる。
【００３６】
これらの各画像形成装置においては、その作像手段により形成する赤外線吸収剤を含有する透明トナー層を、前記した画像形成方法の場合と同様に、記録媒体に対して熱発泡性トナー像よりも上層側に位置するように形成する構成を採用するとよい。また、赤外線吸収剤を含有する有色トナーからなる像を形成する画像形成装置の場合においては、その作層手段により形成する赤外線吸収剤を含有する有色トナー像を、前記した画像形成方法の場合と同様に、記録媒体に対して熱発泡性トナー像よりも上層側に位置するように形成する構成を採用するとよい。
【００３７】
また、以上の各画像形成装置においては、必要に応じて、赤外線吸収剤を含有する透明トナー層を作層手段によりその形成すべき領域内で異なった層厚で形成するように構成するとよい。
【発明の効果】
【００３８】
このような本発明の画像形成方法およびその形成装置によれば、熱発泡性トナー像の少なくとも一部領域に赤外線吸収剤を含有する透明トナー層を形成して赤外線を照射することによりその熱発泡性トナー像の少なくとも該当部分を加熱するようにして立体画像を形成するので、非熱発泡性の記録媒体に形成する熱発泡性トナー像を簡易にかつ効率よく発泡隆起させてそのトナー像に基づく立体画像のみ又はそれを含む画像を形成することが可能となる。
【００３９】
特に赤外線を照射するのみで透明トナー層を発熱させて熱発泡性トナー像を加熱発泡させることも可能であり、この場合には、熱圧による定着装置が不要となるか、またはその定着装置を併用してもその定着時に付与する熱エネルギーを過度に高める必要がなくなる。このため、トナー像の定着のために必要以上の高温加熱用の熱源が不要となって省エネ化の点で有利となり、また、その定着時の処理（通過）速度を通常時よりも低下させる必要もなく生産性の観点からも有利となる。さらに、非熱発泡性の有色トナー像を同時に形成する場合においては、その有色トナー像が前述の従来技術の場合のように必要以上の熱エネルギーで加熱されることがなくなり、たとえばその過度の加熱により有色トナーが定着ロール等に付着してしまうことに起因した画質不良を引き起こすという心配もない。
【発明を実施するための最良の形態】
【００４０】
図１は、本発明を適用した実施の形態に係るデジタルカラー複合機の概要を示すものである。
【００４１】
［複合機全体の構成］
このデジタルカラー複合機１は、少なくとも複写機能とプリント機能を兼備するカラー画像形成装置であって、記録シートＰ上に単色または多色からなる通常の（平面的な）画像を形成することができることに加えて立体的な画像（立体画像）を形成することもできるように構成されている。図１中における符号２は複合機１の画像出力部を構成する本体であり、矢付き一点鎖線は記録シートＰの基本的な搬送経路を示す。
【００４２】
複合機１は、その画像出力部本体２の上部側に、原稿の画像を読み取る原稿読取装置３が設置されている。この原稿読取装置３は、図示しない原稿載置面としてのプラテンガラス上に載置される原稿か又は原稿を一枚ずつ自動で搬送する図示しない自動原稿搬送装置により読取スリット部を通過するように搬送される原稿を光源によって照明し、その原稿からの反射光を所定のミラー、縮小光学系などを介してＣＣＤ等からなる画像読取素子に入射させる。これにより、その画像読取素子によって原稿の色材反射光像を所定のドット密度（例えば１６ドット／ｍｍ）で読み取るようになっている。
【００４３】
また、画像出力部の本体２の上部側（たとえば原稿読み取り装置２の前面側の部位）には、ユーザインターフェイス（ＵＩ）としての操作パネル４が設置されている。この操作パネル４は、入力操作を行うための各種ボタンをはじめ、入力操作や各種情報の表示を行うためのタッチ式液晶パネル等が設けられている。特に液晶パネルは、ユーザに対して操作手順やメッセージが出力される一方で、そのパネルの所定領域を指で触れることで動作に関するユーザからの指示内容が入力される。
【００４４】
一方、画像出力部本体２の内部には、画像処理装置５が設置されている。この画像処理装置５は、前記原稿読み取り装置３で読み取られた画像データ（信号）やこの複合機１に接続される後述のパーソナルコンピュータ（ＰＣ）１００等から入力される画像データに対して所定の画像（信号）処理を施して最終的な画像データを生成するようになっている。特にこの画像処理装置５では、単色または多色の画像を形成するための通常の画像データの処理機能に加えて、後述するような立体画像および赤外吸収透明トナー画像を形成するための画像データの処理機能を有している。また、この画像処理装置５は、ユーザの入力指示に対応した画像処理も可能であり、その入力手段として前述した操作パネル４におけるタッチ式液晶パネル等を使用して対応するようになっている。
【００４５】
また、画像出力部本体２の内部には、各種トナー像をそれぞれ専用に形成する複数の作像ユニット１０と、これら各作像ユニット１０で形成される各トナー像を一次転写させた後に記録シートＰに二次転写させる位置（二次転写部）まで搬送する中間転写ベルト２１を有する中間転写トユニット２０とが設置されている。この実施の形態では、複数の作像ユニット１０を、中間転写ユニット２０における中間転写ベルト２１の下方側の位置にそのベルト２１の回転方向にそって直列に並べた状態で配置している。
【００４６】
作像ユニット１０はいずれも、基本的に、所定の方向に回転駆動するドラム状基体の外周面に有機感光層等が設けられた感光ドラム１１と、この感光ドラム１１の表面を一様に帯電する帯電装置１２と、帯電後の感光ドラム１１の表面に画像処理装置５から送られる画像データに基づいた光を露光して静電潜像を形成する書き込み露光装置１３と、その静電潜像を所定のトナーで現像する現像装置１４と、感光ドラム１１の表面を清掃するドラム用クリーニング装置１６を備えて構成されている。このうち現像装置１４は、トナーとキャリアを含む二成分現像剤を使用して現像を行う二成分現像方式の現像装置であるが、トナーのみからなる一成分現像剤を使用して現像を行う一成分現像方式の現像装置であってもよい。
【００４７】
この実施の形態では、作像ユニット１０として、熱発泡性トナーからなるトナー像（以下「熱発泡性トナー像」ともいう）を形成する作像ユニット１０Ｈと、赤外線吸収剤（ＩＲ）を含有した透明トナーからなるトナー像（以下「ＩＲ透明トナー像」ともいう）を形成する作像ユニット１０Ｉと、非熱発泡性の有色トナーからなるトナー像（以下「有色トナー像」ともいう）を形成する作像ユニット１０Ｗの少なくとも３タイプのものを使用している。また、その有色トナー像を形成する作像ユニット１０Ｗとしては、イエロー（Ｙ）トナー、マゼンタ（Ｍ）トナー、シアン（Ｃ）トナーおよびブラック（Ｋ）トナーの各有色トナーからなる像を専用に形成する４つの作像ユニット１０Ｙ、１０Ｍ、１０Ｃ、１０Ｋを使用している。これら６つの作像ユニット１０については、二次転写部からみて中間転写ベルト２１の回転方向上流側にむけて作像ユニット１０Ｈ、１０Ｋ、１０Ｃ、１０Ｍ、１０Ｙ、１０Ｉの順で配置されている。
【００４８】
ちなみに、作像ユニット１０Ｈと作像ユニット１０Ｉは、その各現像装置１４として、後述する熱発泡性トナーを収容する現像装置１４Ｈと赤外線吸収剤を含有する透明トナーを収容する現像装置１４Ｉをそれぞれ使用する点で他の有色トナー像形成用の作像ユニット１０Ｗ（１０Ｙ、１０Ｍ、１０Ｃ、１０Ｋ）と相違するのみであり、その他の構成については作像ユニット１０Ｗと基本的に同じである。
【００４９】
中間転写ユニット２０は、無端状の中間転写ベルト２１を駆動ロール２２、二次転写部のバックアップロール２３、複数の従動ロール２４、２５、…に所定のテンションで掛け回しているとともに、その従動ロール２４と従動ロール２５の間で各作像ユニット１０における感光ドラム１１とそれぞれ接した状態となるように設置している。この中間転写ベルト２１は、たとえば、導電材等を含有させて体積抵抗率を調整したポリイミドフィルム等のベルト基材上にシリコーンゴム等の表面層を積層形成した２層構造からなる無端状のベルトであり、駆動ロール２２の回転動力により矢印方向に回転走行するようになっている。
【００５０】
中間転写ベルト２１の内周面側には、各作像ユニット１０の感光ドラム１１に形成される各トナー像を中間転写ベルト２１に静電的にそれぞれ転写させるための一次転写ロール２７が設置されている。一次転写ロール２７には、図示しないバイアス電源装置から感光ドラム１１上のトナー像の帯電極性とは逆極性の一次転写バイアスが印加されるようになっている。また、中間転写ベルト２１の外周面側には、そのベルト２１をバックアップロール２３に押し当てて二次転写部の二次転写ニップ部（圧接域）を形成するための二次転写ロール２８が配設されている。バックアップロール２３には、その導電性の軸に対して、図示しないバイアス電源装置から中間転写ベルト２１上のトナー像の帯電極性と同極性の二次転写バイアスを供給するための給電部材が接触した状態で設置されている。さらに、中間転写ベルト２１の駆動ロール２２と対向する位置には、そのベルト２０の表面を清掃するベルト用クリーニング装置２９が設置されている。
【００５１】
上記作像ユニット１０の下方側には、所定のサイズや種類等からなる非熱発泡性の記録シートＰを収容するとともにそれを１枚ずつ前記二次転写部にむけて送り出す給紙装置６が配置されている。給紙装置６は、複合機１の本体２に対して出し入れ可能に支持された単数または複数の収容カセット６１に複数枚の記録シートＰを積載収容し、その収容カセット６１内の最上部にある記録シートＰを送出し装置６２により順に１枚ずつそのカセット６１内から送り出するようになっている。給紙装置６から送り出された記録シートＰは、その給紙装置６から二次転写ニップ部までの間に形成される所定の給紙搬送路を通して搬送され、二次転写部の手前側に配置されたレジストロール対５５まで搬送される。
【００５２】
また、画像出力部本体２の内部のうち二次転写部から記録シートＰの搬送方向下流側となる上部側には、二次転写部でトナー像が二次転写された後の記録シートＰの定着処理を行う定着装置７が設置されている。この定着装置７は、未定着のトナー像が担持された記録シートＰを加熱加圧して定着処理する熱圧式のものであり、基本的に、図示しない加熱源により所定の温度に加熱されて回転する加熱ロール７１と、この加熱ロール７１に所定の圧力で圧接して定着ニップ部（圧接域）を形成しながら回転する加圧部材（加圧ロール、加圧ベルトなど）７２とでその主要部が構成されている。
【００５３】
さらに、その本体２の内部のうち上記定着装置７の記録シート搬送方向下流側となる上部側には、トナー像が担持される記録シートＰに対して赤外線を照射する光定着装置８が配置されている。この光定着装置８は、赤外線を照射することができるものであればよく、たとえば赤外線ランプ、キセノンランプ等を用いて構成される。この光定着装置８と前記定着装置７とは、形成すべき画像の種類等の条件に応じて使い分けること（単独使用または併用すること）ができるように構成されている。実際、光定着装置８の方は、赤外線吸収剤を含有する透明トナー像が形成される場合には常に使用されることになる。
【００５４】
また、画像出力部の本体２上面には、画像形成後に本体の外部に排出される記録シートＰを積載した状態で収容する排出収容面部２Ａが形成されている。また、その本体２上部には、定着後の記録シートＰを排出収容面部２Ａにむけて排出する排出ロール対５６が設置されている。
【００５５】
また、この複合機１に接続される前記コンピュータ１００は、一般的なハードウェア構成と基本ソフト、応用ソフトなどのソフトウェア構成を備えている。ソフトウェア資源としては、立体画像の作成または編集するための立体画像編集ソフトや、文字や描画を作成するための文字描画作成ソフトや、画像データをプリンタに対応した出力データに変換および転送するソフトも有している。
【００５６】
［使用するトナーについて］
ここで、上記熱発泡性トナーは、少なくとも結着樹脂と発泡剤とを含有する微粒子であって、好ましくは発泡剤がトナー表面に実質的に露出していないタイプのトナーである。発泡剤が実質的に表面に露出していない熱発泡性トナーを使用した場合には、高い熱膨張性を有するとともに記録シートに対する接着性および帯電安定性を良好に維持することができる。
【００５７】
発泡性トナーの結着樹脂としては、特に制限されるものではなく、トナー用樹脂として一般に用いられる樹脂が使用できる。一方、発泡剤としては、特に制限されるものではなく、熱によって体積膨張するものであれば、どのようなものでも使用可能である。また、発泡剤は、常温で固体のものであっても、液体のものであってもよい。さらに、発泡剤は、単一物質からなる材料に限られず、複数の物質からなる材料や、マイクロカプセル粒子等の機能性材料であってもよい。発泡剤の発泡温度は、いかなる装置を使用して立体画像を形成するかによってその好ましい範囲が異なるが、非熱発泡性の有色トナー等からなるトナー像を形成する通常の画像形成装置により立体画像を形成する場合にはそのトナー像の加熱定着に必要な定着温度以下の温度であることが好ましい。
【００５８】
このような熱発泡性トナーは、例えば、少なくとも結着樹脂と発泡剤とを溶剤に溶解または分散させた油相を水相に縣濁分散させてその油相からなる粒子を作製する工程と、その粒子から溶剤を除去する工程とを含む製法によって作製される。この他にも、少なくとも発泡剤を溶解または分散させた結着樹脂用のモノマーを水相中で縣濁重合する工程を含む製法によって作製しても良い。このような結着樹脂と発泡剤を含む熱発泡性トナーとしては、たとえば前記した特許文献２等において記載されている熱発泡性トナーを同様に使用することができる。
【００５９】
また、上記赤外吸収剤を含有した透明トナーは、結着樹脂に少なくとも赤外吸収剤を所定の割合で含有させたものである。
【００６０】
結着樹脂としては、特に制限されるものではなく、トナーの結着樹脂として一般に用いられる樹脂を同様に使用することができる。具体的には、ポリエステル樹脂、スチレン樹脂、アクリル樹脂、スチレン・アクリル樹脂、シリコーン樹脂、エポキシ樹脂、ジエン系樹脂、フェノール樹脂、エチレン・酢酸ビニル樹脂等が挙げられるが、好ましくはポリエステル樹脂である。
【００６１】
赤外線吸収剤としては、好ましくは、肉眼で見ることのできる波長４００〜７００ｎｍまでの可視光領域において光の吸収特性を有さず、波長７００ｎｍ以上の非可視領域において光の吸収特性を有するものが使用される。その非可視域で光吸収特性を有する赤外線吸収材としては、具体的に、ＣｕＯをドープしたガラス粉や、ポリマー中にＣｕイオンを導入したもの等を用いることができる。なお、可視光領域において光の吸収特性を有する赤外線吸収剤を使用した場合には、かかる吸収特性の赤外線吸収剤を含有する透明トナー層の（記録シートに転写された後において）下層側に存在する有色トナー像や立体画像の発色性が損なわれる等の不具合がある点で適切ではない。
【００６２】
このような赤外吸収剤を含有する透明トナーは、たとえば通常のトナーの製法として知られている混錬粉砕法や化学重合法により同様に製造することができるほか、前記したような熱発泡性トナーの製法と同様の方法により作製することが可能である。透明トナー中における赤外線吸収剤の含有割合については、任意に設定することができるが、たとえばトナー全体に対して０．５〜９０重量％の割合とする。
【００６３】
この実施の形態では、熱発泡性トナーとして、ポリエステルのポリマー７５重量％とイソブタン内包アクリル樹脂（エクスパンセル社製：エクスパンセル４６１）２５重量％とを前記化学重合法により作製した白色トナー（平均粒径：２５μｍ）を使用した。また、赤外線吸収剤を含有する透明トナーとしては、ポリエステル樹脂に赤外線吸収剤としてＣｕＯを４０重量％の割合で含有させて前記混練粉砕法により作製した透明トナー（平均粒径：約６μｍ）を使用した。この他、前記４色の有色トナーとしては公知のものを使用した。
【００６４】
［立体画像等の画像データの生成について］
次に、この複合機１において形成する立体画像の画像データの生成について、通常の有色（カラー）画像の生成内容と併せて説明する。
【００６５】
はじめに、立体画像の元となる原稿画像のデータを入力する必要があるが、この入力形式としては、原稿読取装置３から原稿の画像を読み取った情報を入力する方式と、複合機１に接続される所定のコンピュータ１００から入力する方式とがある。
【００６６】
原稿読取装置３から入力する方式では、原稿としてカラー又はモノクロ画像用の原稿と立体画像用の原稿という二種類の原稿を用意し、その各原稿からカラー又はモノクロ画像のデータと立体画像のデータをそれぞれ読み取って入力する場合と、通常のカラー又はモノクロ画像原稿という一種類の原稿からカラー又はモノクロ画像用データと立体画像用データの双方を生成する場合とがある。
【００６７】
前者の入力方式の場合には、図２に示すように、まず通常のカラー又はモノクロ用原稿を原稿読取装置３により色材反射光像、例えば赤（Ｒ）、緑（Ｇ）、青（Ｂ）の３色の原稿反射率データ（たとえば各８ｂｉｔ）として読み取る。続いて、その３色の原稿反射率データについて画像処理装置５の補正処理部５１でシェーデイング補正、位置ズレ補正、明度／色空間の変換、ガンマ補正等の補正処理をした後、画像処理装置５の有色画像生成部５２においてＹ、Ｍ、Ｃ、Ｋの各色用の画像データに変換することにより、各有色トナーの有色画像データが生成される。
【００６８】
一方、立体画像用の原稿については、原稿読取装置３により３色の原稿反射率データとして読み取った後、その原稿反射率データについて画像処理装置５の補正処理部５１でシェーデイング補正、位置ズレ補正等の補正処理を同様に行う。続いて、画像処理装置５の立体画像生成部５５においてその補正後の原稿反射率データにおける彩度および色相の情報を算出し、これらの算出情報を用いて所定の手順により高さ（層厚）データに変換することにより、カラー又はモノクロ画像に重畳して（この他、有色画像を形成せずに単独で）形成すべき熱発泡性トナー像用の立体画像データが生成される。
【００６９】
また、前記後者の入力方式の場合には、まず１種類の原稿である通常のカラー又はモノクロ画像原稿を、前者の入力方式の場合と同様に原稿読取装置２によって３色の原稿反射率データとして読み取る。続いて、その３色の原稿反射率データについて画像処理装置５の補正処理部５１で同様の補正処理を行った後、有色画像生成部５２でＹ、Ｍ、Ｃ、Ｋの各色の画像データに変換することにより、各有色トナーの有色画像データを生成する。
【００７０】
一方、立体画像データについては、原稿読取装置３で読み取った上記１種類の原稿の画像データ（反射率データ）を表示画像として操作パネル４における液晶パネルに表示させたうえで、その表示された液晶パネル上の画像内容に対してユーザが立体画像にしたい画像領域をタッチペン等の入力補助手段により指定する。続いて、その指定された領域について、前者の入力方式の場合と同様の手順にしたがって原稿反射率データから高さ情報データへの変換を行うことにより、熱発泡性トナー用の立体画像データを生成する。
【００７１】
コンピュータ１００から入力する方式では、コンピュータ１００におけるソフトウェア資源の一部である文字描画作成ソフトや立体画像編集ソフトなどを利用して、ユーザ自身がカラー又はモノクロ画像用データの他に立体画像としての情報をもつ立体画像のデータを作成する。このようにして作成されるカラー又はモノクロ画像用データおよび立体画像データは、コンピュータ１００から複合機１に送信され、その画像処理装置５の補正処理部５１において最初に前記した入力方式の場合と同様に補正処理される。続いて、その補正後のデータに基づいて有色画像生成部５２において各有色トナーの有色画像データが生成される一方、立体画像生成部５５において立体画像データが生成される。
【００７２】
このような入力方式を経て生成される有色画像データおよび立体画像データは、必要に応じて画像処理装置５の出力階調補正部５３において所定の階調補正がなされる。この階調補正が必要に応じてなされた４色の有色画像データ（Ｙ，Ｍ，Ｃ，Ｋ）および立体画像データ（Ｈ）は、画像処理装置５から各作像ユニット１０（Ｙ，Ｍ，Ｃ，Ｋ, Ｈ）の露光装置１３に対して送信される。
【００７３】
次に、赤外吸収剤を含有する透明トナー用の画像データの生成について説明する。
【００７４】
この透明トナー用の画像データは、図２に示すように、画像処理装置５のＩＲ透明画像生成部５６において、前述した有色画像生成部５２および立体画像生成部５５で生成される有色画像データ（Ｙ，Ｍ，Ｃ，Ｋ）および立体画像データ（Ｈ）を利用して所定の条件からなる赤外線吸収透明画像のデータ（ＩＲ）が生成される。特にＩＲ透明画像生成部５６においては、有色画像データおよび立体画像データに基づいてＩＲ入りの透明画像を形成する領域（形成の有無を含む）が決定される。
【００７５】
この実施の形態では、透明トナー用の画像データとして、ＩＲ入り透明画像を有色画像および立体画像が形成される領域のすべての領域に同じ厚さで形成する二値のデータ（ＩＲ）が生成されるように構成されている。ただし、この赤外線吸収透明画像データ（ＩＲ）は、後述するように、必要に応じて出力階調補正部５３において有色画像および立体画像の階調に対応させて階調を変更するようにしても構わない。この場合は、画像データ（ＩＲ）は多値のデータとして生成されることになる。
【００７６】
［各画像形成動作について］
以下、この複合機１の画像出力部による一般の有色画像の形成動作および立体画像の形成動作について説明する。
【００７７】
まず、この複合機１では、その操作パネル４の操作ボタンやコンピュータ１００等の選択画面において、画像形成パターンとして、一般の有色画像のみを形成するパターン、立体画像のみを形成するパターン、その有色画像および立体画像を組み合わせて形成するパターンのいずれかを任意に選択して実行できるように構成されている。
【００７８】
そして、このいずれかの画像形成パターンが選択されてその画像形成の開始の指示が入力されると、画像出力部の各作像ユニット１０では、その形成すべき画像（トナー像）の種類等に関係なく、以下のように稼動して各トナー像の形成が同様に行われる。
【００７９】
すなわち、各作像ユニット１０では、所定の方向に回転する感光ドラム１１の表面が帯電装置１２によって所定の極性（たとえばマイナス極性）で一様に帯電処理された後、その帯電表面に露光装置１３から各画像データ（この実施の形態では有色画像データ、立体画像データ、ＩＲ透明トナー像画像データ）に応じた光が露光されて所定の表面電位からなる静電潜像が形成される。しかる後、その静電潜像は、現像装置１４から供給される所定の極性（たとえばマイナス極性）に帯電されたトナーにより現像されてトナー像が形成される。
【００８０】
具体的には、作像ユニット１０Ｙ、１０Ｍ、１０Ｃ、１０Ｋでは、イエロートナー、マゼンタトナー、シアントナーおよびブラックトナーからなる各有色トナー像がそれぞれ形成される。また、作像ユニット１０Ｈでは、熱発泡性トナーからなる発泡性トナー像が形成される。さらに、作像ユニット１０Ｉでは、赤外線吸収剤（ＩＲ）を含有した透明トナーからなるＩＲ透明トナー像が形成される。
【００８１】
この他、前記した画像形成パターンとして有色画像のみを形成するパターンが選択されたときには、作像ユニット１０Ｙ、１０Ｍ、１０Ｃ、１０Ｋの少なくとも１つ以上が稼動する。また、立体画像のみを形成する画像形成パターンが選択されたときには、作像ユニット１０Ｈおよび作像ユニット１０Ｉが稼動する。さらに、有色画像および立体画像を組み合わせて形成する画像形成パターンが選択されたときには、作像ユニット１０Ｙ、１０Ｍ、１０Ｃ、１０Ｋの少なくとも１つ以上と作像ユニット１０Ｈ、１０Ｉとが稼動する。
【００８２】
このように各作像ユニット１０で個別に形成される各トナー像は、その各感光ドラム１１と一次転写ロール２７の間を通過する中間転写ベルト２１の表面に対して圧接力および静電吸引力により順次一次転写される。この際、中間転写ベルト２１上には、原則として、そのベルトの回転方向最上流側の位置に配置された作像ユニット１０で形成されるトナー像を先頭にし、その下流側の位置に順次配置される各作像ユニット１０で形成される各トナー像がその配置順にしたがって順次（場所により重なり合うように）転写されることになる。この転写後の感光ドラム１１の表面は、ドラム用クリーニング装置１６によって残留トナー等が除去されて清掃される。
【００８３】
続いて、中間転写ベルト２１に（多重）転写されたトナー像は、そのベルトの回転に伴って二次転写ロール２８が圧接する二次転写ニップ部まで搬送される。一方、この二次転写ニップ部には、前述したように給紙装置６から記録シートＰが１枚ずつ送り出されてレジロール対５５により所定のタイミングで送り込まれる。これにより、二次転写ニップ部では、その中間転写ベルト２１上のトナー像が記録シートＰに圧接力および静電吸引力により転写される。この二次転写が終了した後の中間転写ベルト２０の表面は、ベルト用クリーニング装置２９によって残留トナー等が除去されて清掃される。
【００８４】
このようにトナー像が転写された記録シートＰは、その二次転写ニップ部から抜け出た後に定着装置７に向けて搬送され、その加熱ロール７１と加圧部材７２の間の定着ニップ部（圧接域）に導入されて通過させられる。これにより、未定着のトナー像は、その定着ニップ部において所定の温度および圧力で加熱加圧される。このとき記録シートＰに有色トナー像が担持されている場合にはその有色トナーが加熱溶融されて記録シートＰに定着される。また、記録シートＰに熱発泡性トナー像が担持されている場合には、その熱発泡性トナー像がその加熱されて熱膨張して隆起する。
【００８５】
この定着装置７を通過した後の記録シートＰは、その定着装置７よりも搬送方向下流側に配置された光定着装置８を通過するように搬送される。この際、光定着装置８による光定着を行う必要がある場合（具体的には、少なくともＩＲ透明トナー層が形成される場合）には、その光定着装置８からトナー像を担持する記録シートＰにむけて赤外線が照射される。この赤外線照射が行われた場合は、少なくとも透明トナー像を構成するトナー内に含まれる赤外線吸収剤が発熱して熱発泡性トナー像を加熱することになり、この結果、その熱発泡性トナー像がさらに加熱されて熱膨張する。
【００８６】
定着装置７と定着装置８を通過した後の記録シートＰは、画像出力部本体２の外部である排出収容面部２Ａに排出される。以上のプロセスを経ることにより、記録シートＰには、所望の有色トナー像のみが形成されるか、または、熱発泡性トナー像のみが発泡隆起した所望の立体画像のみが形成されるか、または、所望の有色トナー像および立体画像が組み合わせられた有色立体画像が形成される。
【００８７】
そして、この複合機１では、一般の有色画像のみを形成する画像形成パターンが選択された場合、前述したように作像ユニット１０Ｙ、１０Ｍ、１０Ｃ、１０Ｋの全部または一部のものが稼動することにより有色画像データに基づく有色トナー像Ｔ（Ｙ，Ｍ，Ｃ，Ｋ）を形成して記録シートＰに転写させた後、熱圧式の定着装置７を通過させて加熱加圧することにより定着が行われる。この場合、定着装置７を通過した後の記録シートＰは、その後において光定着装置８による定着を行う必要がないため、光定着装置８がある搬送路領域は単に通過するだけとなる。
【００８８】
また、立体画像のみを形成する画像形成パターンが選択された場合には、前述したように作像ユニット１０Ｈ、１０Ｉが稼動することにより立体画像データに基づく熱発泡性トナー像Ｔ（Ｈ）およびＩＲ透明トナー像Ｔ（ＩＲ）をそれぞれ形成して記録シートＰに転写させた後、少なくとも光定着装置８を通過させて赤外線を照射することにより定着が行われる。このときの定着については、熱圧式の定着装置７を通過させた後に光定着装置８を通過させることにより、その双方の定着装置７，８による定着を併せて行うように構成してもよい。
【００８９】
ここで、光定着装置８による定着のみを行う場合は、熱圧式の定着装置７を通過させない（加熱加圧されない）ように構成する必要がある。その構成として、たとえば、転写後の記録シートＰを光定着装置８に直接送りこむための迂回路を形成するか、あるいは定着装置７の定着ニップ部を開放可能な構造にする（たとえば加圧部材を加熱ロールに対して離間可能に支持する）。
【００９０】
このパターンの画像形成を行なった場合には、基本的に、図３に示すように、記録シートＰ上に熱発泡性トナー像Ｔ（Ｈ）およびＩＲ透明トナー像Ｔ（ＩＲ）がこの順で積層された状態で形成される。これにより、記録シートＰは、熱発泡性トナー像Ｔ（Ｈ）の形成領域がそれ以外のシート表面領域Ｐａよりも良好かつ確実に隆起した部分（凸部）となって存在する独特な凹凸表面（立体画像の１種）を有した記録シートとして得られる。ＩＲ透明トナー像Ｔ（ＩＲ）は、定着後には発泡した熱発泡性トナー像Ｔ（Ｈ）上に薄い透明樹脂層として存在する（他の場合も同様である）。
【００９１】
さらに、有色画像および立体画像を組み合わせて形成する画像形成パターンが選択された場合には、作像ユニット１０（Ｙ、Ｍ、Ｃ、Ｋ）の少なくとも１つ以上および作像ユニット１０（Ｈ、Ｉ）を前述したように稼動させることにより有色画像データに基づく有色トナー像Ｔ（Ｙ，Ｍ，Ｃ，Ｋ）、立体画像データに基づく熱発泡性トナー像Ｔ（Ｈ）、およびＩＲ透明トナー像Ｔ（ＩＲ）をそれぞれ形成して記録シートＰに転写させた後、少なくとも光定着装置８を通過させて赤外線を照射することにより定着を行うことになる。このときの定着についても、立体画像のみを形成する場合の定着条件と同様に、熱圧式の定着装置７を通過させた後にさらに光定着装置８を通過させることにより、その双方の定着装置７，８による定着を併せて行うように構成してもよい。
【００９２】
このパターンの画像形成を行なった場合には、基本的に、図４に示すように、記録シートＰ上に熱発泡性トナー像Ｔ（Ｈ）、有色トナー像Ｔ（Ｙ，Ｍ，Ｃ，Ｋの少なくとも１つ以上）およびＩＲ透明トナー像Ｔ（ＩＲ）がこの順で積層された状態で形成される。これにより、記録シートＰには、有色トナー像が形成された熱発泡性トナー像Ｔ（Ｈ）の形成領域がそれ以外の領域面よりも良好かつ確実に隆起した部分（凸部）として存在する有色の立体画像が形成される。
【００９３】
そして、ＩＲ透明トナー像Ｔ（ＩＲ）については、基本的に、図５や図６に示すように、熱発泡性トナー像Ｔ（Ｈ）を形成した領域に重複させるように形成する。
【００９４】
図５においては、熱発泡性トナー像Ｔ（Ｈ）の少なくとも一部に有色トナー像Ｔ（Ｙ，Ｍ，Ｃ，Ｋの少なくとも１つ以上）が形成されており、その有色トナー像が形成された領域にＩＲ透明トナー像Ｔ（ＩＲ）が形成されるほか、熱発泡性トナー像Ｔ（Ｈ）上に有色トナー像Ｔが形成されない領域であっても、その熱発泡性トナー像上にはＩＲ透明トナー像Ｔ（ＩＲ）が形成される態様を示している。また、図６においては、図５と同様の領域にＩＲ透明トナー像Ｔ（ＩＲ）が形成されていることと、有色トナー像は形成されているが熱発泡性トナー像Ｔ（Ｈ）が形成されていない領域にはＩＲ透明トナー像Ｔ（ＩＲ）が形成されていない態様を示している。また、この２例においては、ＩＲ透明トナー像Ｔ（ＩＲ）を同じ層厚で形成している。
【００９５】
また、ＩＲ透明トナー像Ｔ（ＩＲ）については、図７に示すように、熱発泡性トナー像Ｔ（Ｈ）の形成領域であっても、黒色の有色トナー像Ｔ（Ｋ）が形成されている領域に対しては特に形成しなくてもよい。この場合は、黒色の有色トナー像Ｔ（Ｋ）が赤外線吸収剤を含有する有色トナー像となり、赤外線の照射により発熱し、これにより熱発泡性トナー像Ｔ（Ｈ）を加熱して発泡隆起させることになる。図７において、黒色の有色トナー像Ｔ（Ｋ）が形成されている領域にはＩＲ透明トナー像Ｔ（ＩＲ）を一切形成していない。
【００９６】
さらに、ＩＲ透明トナー像Ｔ（ＩＲ）については、図８に示すように、その形成すべき領域内で異なった層厚で形成することもできる。これは、光定着装置８が同じ強さの赤外線を照射するものである場合に有効となる。また、この場合には、前述した画像処理部５において生成する透明トナー用の画像データはその厚さ（濃度階調）に応じた多値データとして生成することになる。
【００９７】
図８（上部側に図示した内容）においては、通常の層厚からなるＩＲ透明トナー像Ｔ（ＩＲ）１とした場合、熱発泡性トナー像Ｔ（Ｈ）の隆起度合いを通常よりも大きくした領域には厚めの層厚からなるＩＲ透明トナー像Ｔ（ＩＲ）２を形成し、熱発泡性トナー像Ｔ（Ｈ）の隆起度合いを通常よりも小さくした領域には薄めの層厚からなるＩＲ透明トナー像Ｔ（ＩＲ）３を形成する態様を示している。また、ＩＲ透明トナー像Ｔ（ＩＲ）は、黒色の有色トナー像Ｔ（Ｋ）の厚さ（濃度諧調）に反比例するような関係で調整した層厚からなるＩＲ透明トナー像Ｔ（ＩＲ）４として形成することができる。つまり、たとえば厚めの黒色の有色トナー像Ｔ（Ｋ）が形成されている場合には、通常時よりも薄めのＩＲ透明トナー像Ｔ（ＩＲ）４を形成する。
【００９８】
このようにＩＲ透明トナー像Ｔ（ＩＲ）を異なった層厚で形成した場合には、その定着後において対比すると、図８の下部側に示すように、通常の層厚からなるＩＲ透明トナー像Ｔ（ＩＲ）１を形成した領域に当たる熱発泡性トナー部分像Ｔ（Ｈ）１は通常の高さに発泡隆起するのに対し、厚めのＩＲ透明トナー像Ｔ（ＩＲ）２を形成した領域に当たる熱発泡性トナー像部分Ｔ（Ｈ）２は通常の高さよりも多めに隆起した状態となり、また、薄めのＩＲ透明トナー像Ｔ（ＩＲ）３を形成した領域に当たる熱発泡性トナー像部分Ｔ（Ｈ）３は通常の高さよりも少なめに隆起した状態となる。
【００９９】
また、黒色の有色トナー像Ｔ（Ｋ）の厚さに反比例する関係の層厚からなるＩＲ透明トナー像Ｔ（ＩＲ）４を形成した領域に当たる熱発泡性トナー像部分Ｔ（Ｈ）２はその有色トナー像Ｔ（Ｋ）およびＩＲ透明トナー像Ｔ（ＩＲ）４を併せた加熱作用で加熱されて発泡隆起した状態となる。これは、黒色の有色トナー像Ｔ（Ｋ）が薄い（ハイライト部：低濃度部としての濃度諧調である）場合には、その黒色トナー像の赤外線吸収による発熱量が少ないためＩＲ透明トナー像による赤外線吸収による発熱量を補完して利用することができ、良好な定着が可能となり有効である。
【０１００】
この他にも、ＩＲ透明トナー像Ｔ（ＩＲ）は、黒色以外の有色トナー像Ｔ（Ｙ，Ｍ，Ｃの少なくとも１つ以上）を形成する場合には、その有色トナー像の下方や層間などに形成することもできる。この場合は、黒色以外の有色トナー像が赤外線を吸収することなく透過させるため、定着時に照射する赤外線がその有色トナー像を透過してＩＲ透明トナー像Ｔ（ＩＲ）に達するようになるためＩＲ透明トナー像が赤外線の吸収により発熱するようになる。
【０１０１】
また、ＩＲ透明トナー像を形成する場合において定着装置７による定着を行なった後に光定着装置８による定着を行うときには、熱発泡性トナー像が定着装置７による加熱加圧によりその結着樹脂が記録シートＰのパルプ繊維間などに浸透した状態となるため、その加熱により発泡し始めても記録シートから剥がれにくくなる。そして、そのような状態（仮定着の状態）になった後に、赤外線照射によってＩＲ透明トナー像の加熱作用を受けるため熱発泡性トナー像（および有色トナー像）からなる立体画像の記録シートに対する接着性が良好なものとなる。この結果、強度や耐久性に優れた立体画像を形成することができる。
【０１０２】
［他の実施の形態］
前記した実施の形態では、定着装置として、熱圧式の定着装置７と光定着装置８の双方を設置した場合について説明したが、たとえば常にＩＲ透明トナー像（または黒色トナー像）を形成して十分な定着性が得られる場合には、光定着装置８のみを設置するように構成してもよい。
【０１０３】
また、前記実施の形態では、ＩＲ透明トナー像を特に熱発泡性トナー像の画像情報に基づいて全部一致または一部一致するように部分的に形成する場合について説明したが、熱発泡性トナー像の形成領域にかかわらずＩＲ透明トナー像を少なくとも一定の領域において所定の層厚でベタ状（層状）に形成する場合には、その作像ユニット１０Ｉとしては、前記各構成部品のうち露光装置１３の設置を省略して現像装置１４の調整（現像バイアスのＯＮ／ＯＦＦ動作やその強度の調整など）で対応することによりＩＲ透明トナー像の感光ドラム１１への形成を必要に応じて行う作層装置として構成することもできる。
【０１０４】
さらに、前記実施の形態では、本発明をカラー複合機に適用した場合について説明したが、本発明の画像形成装置としてはその複合機に限定されるものではなく、たとえば、他のモノクロ対応やカラー対応の各種形式からなるプリンタ、複写機等の画像形成装置であってももちろん適用可能である。
【図面の簡単な説明】
【０１０５】
【図１】本発明を適用したカラー複合機の概要を示す説明図である。
【図２】画像処理装置の構成および画像データ生成の状態を示す説明図である。
【図３】立体画像のみを形成した基本的な態様を示す説明図である。
【図４】有色画像および立体画像を組み合わせて形成した基本的な態様を示す説明図である。
【図５】有色画像および立体画像を組み合わせて形成した他の態様を示す説明図である。
【図６】有色画像および立体画像を組み合わせて形成した他の態様を示す説明図である。
【図７】有色画像および立体画像を組み合わせて形成した他の態様（特にＩＲ透明トナー像を形成しない領域がある態様）を示す説明図である。
【図８】有色画像および立体画像を組み合わせて形成した他の態様（特にＩＲ透明トナー像を異なる層厚で形成した態様）を示す説明図である。
【符号の説明】
【０１０６】
１…カラー複合機（画像形成装置）、８…光定着装置（照射手段）、１０Ｈ…作像ユニット（第１作像手段）、１０Ｉ…作像ユニット（作層手段）、１０Ｋ…黒色用の作像ユニット（第２作像手段）、Ｔ…トナー像、Ｔ（Ｈ）…熱発泡性トナー像、Ｔ（ＩＲ）…ＩＰ透明トナー像（赤外線吸収剤を含有する透明トナーからなる層）、Ｔ（Ｋ）…黒色の有色トナー像（赤外線吸収剤を含有する有色トナーからなる像）、Ｐ…記録シート（非熱発泡性の記録媒体）。
【図１】
2006215196.tif 000003
【図２】
2006215196.tif 000004
【図３】
2006215196.tif 000005
【図４】
2006215196.tif 000006
【図５】
2006215196.tif 000007
【図６】
2006215196.tif 000008
【図７】
2006215196.tif 000009
【図８】
2006215196.tif 000010